(57)【要約】【課題】レンズ鏡筒の構造の簡素化を図る。【解決手段】基準部材に対して所定の軸方向にスライド可能な案内軸と、第１のレンズを保持するとともに、前記案内軸に固定された第１の保持部材と、前記第１のレンズとは異なる第２のレンズを保持し、前記案内軸に沿って前記軸方向にスライド可能に保持された第２の保持部材と、前記第１の保持部材が周溝を介して係合し、前記第１の保持部材に前記軸方向の駆動力を伝達する伝達部材と、前記伝達部材と前記第２の保持部材とがそれぞれカム溝を介して係合し、前記伝達部材と前記第２の保持部材とにそれぞれ前記軸方向の駆動力を付与する駆動部材と、を備える。【選択図】図２
2010197897.tif 000002
【特許請求の範囲】
【請求項１】
基準部材に対して所定の軸方向にスライド可能な案内軸と、
第１のレンズを保持するとともに、前記案内軸に固定された第１の保持部材と、
前記第１のレンズとは異なる第２のレンズを保持し、前記案内軸に沿って前記軸方向にスライド可能に保持された第２の保持部材と、
前記第１の保持部材が周溝を介して係合し、前記第１の保持部材に前記軸方向の駆動力を伝達する伝達部材と、
前記伝達部材と前記第２の保持部材とがそれぞれカム溝を介して係合し、前記伝達部材と前記第２の保持部材とにそれぞれ前記軸方向の駆動力を付与する駆動部材と、を備えるレンズ鏡筒。
【請求項２】
前記伝達部材は、合焦動作を行う際に前記軸方向回りに回転され、
前記駆動部材は、変倍動作を行う際に前記軸方向回りに回転されるとともに、前記合焦動作を行う際には前記軸方向回りの位置を固定されていることを特徴とする請求項１に記載のレンズ鏡筒。
【請求項３】
前記第１の保持部材の前記伝達部材に係合する部分と、前記伝達部材の前記駆動部材に係合する部分と、前記第２の保持部材の前記駆動部材に係合する部分との少なくとも１つは、前記案内軸近傍に位置していることを特徴とする請求項１又は２に記載のレンズ鏡筒。
【請求項４】
前記第１の保持部材は、前記案内軸の一端に固定されていることを特徴とする請求項１〜３のいずれか一項に記載のレンズ鏡筒。
【請求項５】
前記案内軸は、前記基準部材に前記軸方向に離間して設けられた一対の軸受け部により、スライド可能に支持され、
前記第２の保持部材は、前記一対の軸受け部の間に設けられていることを特徴とする請求項４に記載のレンズ鏡筒。
【請求項６】
請求項１〜５のいずれか一項に記載のレンズ鏡筒と、
前記レンズ鏡筒により結ばれた画像を撮像する撮像部と、を備える撮像装置。
【発明の詳細な説明】
【技術分野】
【０００１】
本発明は、レンズ鏡筒及び撮像装置に関し、特に複数のレンズを保持するレンズ鏡筒及び当該レンズ鏡筒を具備する撮像装置に関する。
【背景技術】
【０００２】
従来、カメラのレンズ鏡筒は、撮像部に装着された状態で、撮像部に対して固定される固定筒と、その固定筒に対して回転するカム筒と、そのカム筒の回転により光軸方向に移動する複数のレンズ群を備えている（例えば、特許文献１参照）
【先行技術文献】
【特許文献】
【０００３】
【特許文献１】特開２０００−８９０８６号公報
【発明の概要】
【発明が解決しようとする課題】
【０００４】
このようなレンズ鏡筒は、光学性能を確保するために、設計上において種々の制約がある。また、当該制約下で光学性能を確保するためには、レンズ鏡筒内の構造は、簡素化されているほうが良い。
【０００５】
そこで本発明は上記の課題に鑑みてなされたものであり、構造の簡素化が図られたレンズ鏡筒及び撮像装置を提供することを目的とする。
【課題を解決するための手段】
【０００６】
本明細書に記載のレンズ鏡筒は、基準部材（１０）に対して所定の軸方向にスライド可能な案内軸（３０Ａ、３０Ｂ）と、第１のレンズ（Ｌ２）を保持するとともに、前記案内軸に固定された第１の保持部材（１２）と、前記第１のレンズとは異なる第２のレンズ（Ｌ３〜Ｌ５）を保持し、前記案内軸に沿って前記軸方向にスライド可能に保持された第２の保持部材（１３，１４）と、前記第１の保持部材が周溝（３２ｃ）を介して係合し、前記第１の保持部材に前記軸方向の駆動力を伝達する伝達部材（３２）と、前記伝達部材と前記第２の保持部材とがそれぞれカム溝（２０ｂ、２０ｃ、２０ｄ）を介して係合し、前記伝達部材と前記第２の保持部材とにそれぞれ前記軸方向の駆動力を付与する駆動部材（２０）と、を備えるレンズ鏡筒である。
【０００７】
この場合において、前記伝達部材は、合焦動作を行う際に前記軸方向回りに回転され、前記駆動部材は、変倍動作を行う際に前記軸方向回りに回転されるとともに、前記合焦動作を行う際には前記軸方向回りの位置を固定されていることとすることができる。
【０００８】
また、本明細書に記載のレンズ鏡筒では、前記第１の保持部材の前記伝達部材に係合する部分（２８ａ）と、前記伝達部材の前記駆動部材に係合する部分（３２ｂ）と、前記第２の保持部材の前記駆動部材に係合する部分（３５，４５）との少なくとも１つは、前記案内軸近傍に位置していることとすることができる。
【０００９】
また、本明細書に記載のレンズ鏡筒では、前記第１の保持部材は、前記案内軸の一端に固定されていることとすることができる。
【００１０】
更に、本明細書に記載のレンズ鏡筒では、前記案内軸は、前記基準部材に前記軸方向に離間して設けられた一対の軸受け部（４７ａ1、４７ａ2）により、スライド可能に支持され、前記第２の保持部材の少なくとも一部は、前記一対の軸受け部の間に設けられていることとすることができる。
【００１１】
本明細書に記載の撮像装置は、上記レンズ鏡筒（１００）と、前記レンズ鏡筒により結ばれた画像を撮像する撮像部（２００）と、を備える撮像装置である。
【発明の効果】
【００１２】
本明細書に記載のレンズ鏡筒及び撮像装置は、構造を簡素化できるという効果を奏する。
【図面の簡単な説明】
【００１３】
【図１】一実施形態に係るカメラの構成を概略的に示す図である。
【図２】レンズ鏡筒が広角端にある状態を示す断面図である。
【図３】レンズ鏡筒が望遠端までズームされた状態を示す断面図である。
【図４】図４（ａ）は、２群レンズ摺動筒及びその近傍を取り出して示す図であり、図４（ｂ）は、３，５群レンズ摺動筒、４群レンズ摺動筒及びその近傍を取り出して示す図である。
【図５】図５（ａ）は、図４（ｂ）のＡ−Ａ線断面図であり、図５（ｂ）は、図４（ｂ）のＢ−Ｂ線断面図である。
【図６】ズーミングのときの各レンズの移動動作について説明するための図である。
【図７】フォーカシングのときの各レンズの移動動作について説明するための図である。
【図８】一実施形態の作用の一つについて説明するための図である。
【図９】変形例に係るレンズ鏡筒が広角端にある状態を示す断面図である。
【図１０】変形例に係るレンズ鏡筒が望遠端までズームされた状態を示す断面図である。
【発明を実施するための形態】
【００１４】
以下、一実施形態に係るカメラ及び当該カメラが具備するレンズ鏡筒について、図１〜図７に基づいて詳細に説明する。
【００１５】
図１には、本実施形態に係るカメラ５００が模式的に示されている。この図１に示すようにカメラ５００は、撮像部２００と、レンズ鏡筒１００と、を備える。
【００１６】
撮像部２００は、筐体２１０と、この筐体２１０内に収容された主鏡２１２、ペンタプリズム２１４、接眼光学系２１６を含む光学系と、焦点検出装置２３０と、シャッタ２３４と、撮像素子２３８と、メインＬＣＤ２４０と、主制御部２５０と、を有する。
【００１７】
主鏡２１２は、図１の状態では、レンズ鏡筒１００から入射した入射光の大半を上方に配置されたフォーカシングスクリーン２２２に導く。フォーカシングスクリーン２２２は、レンズ鏡筒１００内の光学系の合焦位置に配置され、レンズ鏡筒１００内の光学系により形成された画像を結像させる。
【００１８】
ペンタプリズム２１４は、フォーカシングスクリーン２２２に結像された画像を、反射した後、ハーフミラー２２４を介して、接眼光学系２１６まで導く。これにより、接眼光学系２１６では、フォーカシングスクリーン２２２上の映像を正像として観察することができる。この場合、ハーフミラー２２４は、ファインダＬＣＤ２２６に形成された撮影条件や設定条件等を示す表示画像をフォーカシングスクリーン２２２の映像に重畳させる。したがって、接眼光学系２１６の出射端においては、フォーカシングスクリーン２２２の映像とファインダＬＣＤ２２６の画像とが重ね合わせられた状態を観察することができる。なお、ペンタプリズム２１４の出射光の一部は、測光部２２８に導かれ、当該測光部２２８にて、入射光の強度及びその分布等が測定される。
【００１９】
焦点検出装置２３０は、主鏡２１２を透過し、かつ主鏡２１２の裏面側に設けられた副鏡２３２にて反射された光を用いて、レンズ鏡筒１００内の光学系の焦点調整状態（ピント状態）を検出する。なお、主鏡２１２及び副鏡２３２は、撮影の際には、レンズ鏡筒１００から入射する入射光の光路から退避するように、図１に破線にて示す位置まで上昇する。
【００２０】
シャッタ２３４は、主鏡２１２後方（レンズ鏡筒１００から入射する入射光の光路後方）に配置され、撮影の際には、主鏡２１２及び副鏡２３２の上昇動作と連動して、開放動作を行う。シャッタ２３４が開放された状態では、光学フィルタ２３６を介して撮像素子２３８にレンズ鏡筒１００からの入射光が入射する。撮像素子２３８は、入射光が形成する画像を電気信号に変換する。
【００２１】
メインＬＣＤ２４０は、その表示画面部分が筐体２１０の外部に露出した状態となっている。このメインＬＣＤ２４０の表示画面上には、撮像素子２３８上に形成された映像（撮影された映像）のほか、撮像部２００における各種設定情報などが表示される。
【００２２】
主制御部２５０は、上記各部の種々動作を統括的に制御する。また、主制御部２５０は、撮像部２００内の焦点検出装置２３０が検出した光学系の焦点調整状態の情報を参照して、レンズ鏡筒１００内の光学系（レンズＬ１〜Ｌ５）を駆動したり（オートフォーカス）、レンズ鏡筒１００内の光学系の動作量を参照して、合焦していることをファインダＬＣＤ２２６に表示したりする（フォーカスエイド）。
【００２３】
次に、レンズ鏡筒１００の構成について、図２〜図５（ｂ）に基づいて詳細に説明する。
【００２４】
図２、図３には、レンズ鏡筒１００の断面図が示されている。これらのうち、図２は、レンズ鏡筒１００が広角端にある状態を示し、図３は、レンズ鏡筒１００が、望遠端までズームされた状態を示す。これらの図に示すように、レンズ鏡筒１００は、共通の光軸ＡＸ上に配列された１群レンズＬ１、２群レンズＬ２、３群レンズＬ３、４群レンズＬ４、５群レンズＬ５を有する。なお、以下においては、光軸ＡＸ方向の１群レンズＬ１側を前側、５群レンズＬ５側を後側として説明する。
【００２５】
レンズ鏡筒１００は、図２、図３に示すように、固定筒１０と、１群レンズＬ１を保持する１群レンズ摺動筒１１と、２群レンズＬ２を保持する２群レンズ摺動筒１２と、３群レンズＬ３及び５群レンズＬ５を保持する３，５群レンズ摺動筒１３と、４群レンズＬ４を保持する４群レンズ摺動筒１４と、を備える。
【００２６】
固定筒１０は、基部１０ａにおいて、撮像部２００に固定される。この固定状態では、固定筒１０の撮像部２００側の端面１０ｂが撮像部２００（図１の筐体２１０）に密接することにより、固定筒１０、すなわちレンズ鏡筒１００が撮像部２００に対して位置決めされる。固定筒１０の内周面の上側部分（天井部分）には、突起部４７ａ1、４７ａ2が設けられている。これら突起部４７ａ1、４７ａ2には、光軸ＡＸ方向に貫通する円形の貫通孔３６ａ1、３６ａ2が形成されている。また、固定筒１０の内周面の下側部分には、突起部４７ｂ1、４７ｂ2が設けられている。これら突起部４７ｂ1、４７ｂ2には、光軸ＡＸ方向に貫通する貫通孔３６ｂ1、３６ｂ2が形成されている。貫通孔３６ｂ1、３６ｂ2は、上下方向に長い長円孔である。
【００２７】
１群レンズ摺動筒１１は、当該１群レンズ摺動筒１１の内側に設けられたズーム駆動筒１６と連動可能に連結されている。具体的には、１群レンズ摺動筒１１に植設されたカムピン１５が、ズーム駆動筒１６に形成されたカム溝１６ａに係合した状態となっている。
【００２８】
一方、ズーム駆動筒１６は、レンズ鏡筒１００の最外周において光軸ＡＸ回りの回転が自在とされたズーム操作環１８と連動可能に連結されている。具体的には、ズーム駆動筒１６から外側に突設された駆動力伝達ピン１９が、ズーム操作環１８の内面に形成された光軸ＡＸに平行な操作溝１８ａに係合している。これにより、ズーム駆動筒１６は、ズーム操作環１８の回転に連動して回転する。ズーム操作環１８は、前後方向への移動ができないようになっており、その外周面には滑り止めのゴム層が設けられている。ズーム操作環１８は、変倍動作（ズーミング）の際に、ユーザによって回転されるものである。
【００２９】
また、ズーム駆動筒１６は、その内側に設けられたズーム用案内筒２２に対して回転可能とされている。ズーム用案内筒２２には、図２、図３の下半部に示すように、逃げ溝２２ａが貫通形成され、このズーム用案内筒２２と、ズーム駆動筒１６に貫通形成された直進溝１６ｂとには、固定筒１０の内側に設けられたカムリング２０に固定された回転連結部材２１が係合している。カムリング２０には、固定筒１０の内側に突設されたカムピン１０ｄと係合するカム溝２０ｅが形成されている。
【００３０】
上記構造によると、ズーム操作環１８が回転されると、駆動力伝達ピン１９の作用によりズーム駆動筒１６が回転し、その回転とカムピン１５の作用により、１群レンズ摺動筒１１が前後方向（光軸ＡＸに沿った方向）に移動する。また、ズーム操作環１８の回転により、ズーム駆動筒１６が回転すると、この回転力が回転連結部材２１を介してカムリング２０に伝達するため、カムリング２０は回転しながら前後方向に移動する。なお、ズーム用案内筒２２は、回転せずにズーム駆動筒１６とともに前後方向に移動する。
【００３１】
なお、ズーム操作環１８と１群レンズ摺動筒１１との間には、カバー筒１７が設けられている。このカバー筒１７は、図２、図３に示すように、１群レンズ摺動筒１１に連れ従って前後方向に移動して、ズーム操作環１８と１群レンズ摺動筒１１との間を封止し、レンズ鏡筒１００内への塵埃の浸入を防止する。
【００３２】
図４（ａ）は、２群レンズ摺動筒１２及びその近傍を取り出して示す図である。この図４（ａ）に示すように、２群レンズ摺動筒１２は、２群レンズＬ２を保持する保持筒２４と、保持筒２４に固定された押さえ環２６と、保持筒２４の外周を取り囲む状態で設けられた係合筒２８と、を有する。保持筒２４と押さえ環２６とは、ネジ止め等により固定され、２群レンズＬ２の外縁部を挟持する。
【００３３】
係合筒２８は、２本のガイドバー３０Ａ，３０Ｂを片持ち支持する。このガイドバー３０Ａ、３０Ｂは、光軸ＡＸを挟んで上下対称な位置に配置されている。ガイドバー３０Ａの外径は、固定筒１０の突起部４７ａ1、４７ａ2に形成された貫通孔３６ａ1、３６ａ2の内径とほぼ一致している。ガイドバー３０Ａは、図２、図３に示すように、貫通孔３６ａ1、３６ａ2のそれぞれに挿入された状態で、固定筒１０の突起部４７ａ1、４７ａ2によりスライド可能に支持される。また、ガイドバー３０Ｂは、貫通孔３６ｂ1、３６ｂ2のそれぞれに挿入された状態とされている。この場合、前述したように、貫通孔３６ｂ1、３６ｂ2が、上下方向に長い長円孔とされているので、貫通孔３６ｂ1、３６ｂ2とガイドバー３０Ｂとの間（ガイドバー３０Ｂの上側及び下側）には、若干の隙間が確保されている。このように、貫通孔３６ｂ1、３６ｂ2とガイドバー３０Ｂとの間に隙間を確保することで、ガイドバー３０Ａ，３０Ｂ間の間隔に若干の製造誤差（ガタ）が生じても、問題なく組み立てることができる。
【００３４】
ガイドバー３０Ａ，３０Ｂの材料としては、強度が高く、軽量な材料、例えばステンレスなどを採用することができ、係合筒２８とガイドバー３０Ａ，３０Ｂとの間は、接着又は圧入などの処理を経て固定されている。
【００３５】
図４（ａ）に戻り、係合筒２８の外周面の一部には、突起状のフォロワ２８ａが形成されている。このフォロワ２８ａは、係合筒２８の外側に設けられた連動リング３２の周溝３２ｃと係合している。なお、フォロワ２８ａは、ガイドバー３０Ａの近傍、すなわち、ガイドバー３０Ａの中心軸を延長した延長軸の近傍に配置されている。
【００３６】
この周溝３２ｃが形成されている連動リング３２には、更に、連動溝３２ａと、カムフォロワ３２ｂとが形成されている。連動溝３２ａには、略Ｌ字状の形状を有する連動キー３４の一端部が係合している。この連動キー３４は、図２、図３に示す、固定筒１０の外周部に設けられたピントリング３７に接続されており、ピントリング３７の光軸ＡＸ回りの回転に伴って、光軸ＡＸを中心とした回転方向に移動する。このように、連動キー３４が光軸ＡＸを中心とした回転方向に移動すると、連動リング３２が光軸ＡＸ回りに回転する。また、連動キー３４は、固定筒１０のモータ室１０ｃ内に設けられたモータ３８にも接続されている。したがって、連動リング３２は、モータ３８の回転動作に伴う連動キー３４の光軸ＡＸを中心とした回転方向への移動によっても、光軸ＡＸ回りに回転する。
【００３７】
カムフォロワ３２ｂは、図２、図３に示すように、カムリング２０に形成されたカム溝２０ｂに係合している。したがって、連動リング３２が回転した場合には、連動リング３２及びこれに連結している部材（２群レンズ摺動筒１２、ガイドバー３０Ａ，３０Ｂ、２群レンズＬ２）が、カム溝２０ｂとカムフォロワ３２ｂの作用により、前後方向に移動するようになっている。この前後方向の移動において、連動リング３２は、光軸ＡＸ回りに回転しながら前後方向に移動するが、ガイドバー３０Ａ，３０Ｂの移動方向は、貫通孔３６ａ1、３６ａ2及び３６ｂ1、３６ｂ2により、前後方向にのみ規制されているので、ガイドバー３０Ａ，３０Ｂに接続されている２群レンズ摺動筒１２及び２群レンズＬ２は、回転することなく前後方向に移動する。なお、カムフォロワ３２ｂは、ガイドバー３０Ａの近傍、すなわち、ガイドバー３０Ａの中心軸を延長した延長軸の近傍に配置されている。
【００３８】
図４（ｂ）は、３，５群レンズ摺動筒１３、４群レンズ摺動筒１４及びその近傍を取り出して示す図である。この図４（ｂ）に示すように、３，５群レンズ摺動筒１３は、３群レンズＬ３と５群レンズＬ５とを光軸ＡＸ方向に所定間隔あけた状態で保持する。この３，５群レンズ摺動筒１３は、ガイドバー３０Ａに係合する２つの係合部１３ａ，１３ｂと、ガイドバー３０Ｂに係合する１つの係合部１３ｃを有している。
【００３９】
係合部１３ｂ（及び１３ａ）は、図４（ｂ）のＡ−Ａ線断面図である図５（ａ）に示すように、円形の貫通孔３１を有している。この貫通孔３１は、ガイドバー３０Ａとほぼ同径であり、この貫通孔３１にガイドバー３０Ａが挿入された状態で、ガイドバー３０Ａにより３，５群レンズ摺動筒１３の自重が支持される。ここで、ほぼ同径とは、３，５群レンズ摺動筒１３のスライドに支障が無い程度の隙間が、ガイドバー３０Ａと貫通孔３１の間に形成される程度の寸法を意味する。一方、係合部１３ｃは、Ｕ字溝３３を有する。Ｕ字溝３３の幅は、ガイドバー３０Ｂの直径とほぼ同一、すなわち、３，５群レンズ摺動筒１３のスライドに支障が無い程度の隙間が形成される寸法に設定されている。３，５群レンズ摺動筒１３では、ガイドバー３０ＢにＵ字溝３３が係合することにより、ガイドバー３０Ａを中心とした回転方向の動きが抑制されている。なお、係合部１３ｃには、Ｕ字溝３３に代えて、上下方向に長い長円孔を形成しても良い。
【００４０】
また、３，５群レンズ摺動筒１３の外周部の一部には、図５（ａ）に示すように、カムフォロワ３５が突設されている。このカムフォロワ３５は、カムリング２０に形成されたカム溝２０ｃに係合している。このため、カムリング２０が光軸ＡＸ回りに回転すると、当該回転動作に連動して、３，５群レンズ摺動筒１３は、前後方向（光軸ＡＸ方向）の駆動力を受ける。なお、３，５群レンズ摺動筒１３は、前述のようにガイドバー３０Ａ、３０Ｂに係合しているため、光軸ＡＸ回りに回転することなく、前後方向にのみ移動する。なお、図４（ｂ）及び図２等では、図示の便宜上、カムフォロワ３５及びカム溝２０ｃの図示を省略している。
【００４１】
なお、３，５群レンズ摺動筒１３の上部には、図４（ｂ）及び図５（ａ）に示すように、上部開口１３ｄが形成され、下部には、下部開口１３ｅが形成されている。
【００４２】
４群レンズ摺動筒１４は、図４（ｂ）に示すように、３，５群レンズ摺動筒１３の内部空間に設けられ、その上端部が３，５群レンズ摺動筒１３の上部開口１３ｄから表出し、その下端部が３，５群レンズ摺動筒１３の下部開口１３ｅから表出している。４群レンズ摺動筒１４の上端部には、ガイドバー３０Ａに係合する係合部１４ａ，１４ｂが設けられ、下端部には、ガイドバー３０Ｂに係合する係合部１４ｃが設けられている。
【００４３】
係合部１４ａ（及び１４ｂ）は、図４（ｂ）のＢ−Ｂ線断面図である図５（ｂ）に示すように、円形の貫通孔４１を有している。この貫通孔４１は、ガイドバー３０Ａとほぼ同径、すなわち、４群レンズ摺動筒１４のスライドに支障が無い程度の隙間が形成される径であり、この貫通孔４１にガイドバー３０Ａが挿入された状態で、４群レンズ摺動筒１４の自重が支持されている。一方、係合部１４ｃは、図５（ｂ）に示すように、Ｕ字溝４３を有している。このＵ字溝４３の幅は、ガイドバー３０Ｂの直径と略同一、すなわち、４群レンズ摺動筒１４のスライドに支障が無い程度の隙間が形成される寸法に設定されている。４群レンズ摺動筒１４では、ガイドバー３０ＢにＵ字溝４３が係合することにより、ガイドバー３０Ａを中心とした回転方向の動きが抑制されている。なお、係合部１４ｃには、Ｕ字溝４３に代えて、上下方向に長い長円孔を形成しても良い。
【００４４】
また、４群レンズ摺動筒１４の外周部の一部には、図５（ｂ）に示すように、カムフォロワ４５が突設されている。このカムフォロワ４５は、カムリング２０に形成されたカム溝２０ｄ（図５（ａ）参照）に係合しているため、カムリング２０が光軸ＡＸ回りに回転すると、当該回転動作に連動して、前後方向（光軸ＡＸ方向）に移動するようになっている。この場合、４群レンズ摺動筒１４は、ガイドバー３０Ａ、３０Ｂに係合しているため、回転することなく前後方向にのみ移動する。なお、図４（ｂ）及び図２等では、図示の便宜上、カムフォロワ４５及びカム溝２０ｄの図示を省略している。
【００４５】
ここで、カムフォロワ３５，４５は、図５（ａ）に示すように、ガイドバー３０Ａの近傍に配置されている。ここで、ガイドバー３０Ａの近傍とは、例えば、０°〜４５°程度の範囲を意味する。このように、ガイドバー３０Ａの近傍にカムフォロワ３５，４５を配置することにより、カムフォロワ３５，４５からの力（前後方向の駆動力）が、ガイドバー３０Ａ近傍に作用するので、カムフォロワ３５，４５を介した、各摺動筒１３，１４の効率的な移動を実現できる。なお、設計上の制約が無ければ、カムフォロワ３５，４５は、ガイドバー３０Ａの最近傍に位置しているのが好ましい。
【００４６】
次に、図６、図７に基づいて、ズーム動作を行うとき（ズーミング）の２群レンズＬ２〜５群レンズＬ５の移動動作、及びピントを合わせるとき（フォーカシング）の２群レンズＬ２〜５群レンズＬ５の移動動作について説明する。なお、図６、図７では、図面の錯綜を避けるため、１群レンズＬ１の動作に関係する部分の図示を省略している。
【００４７】
まず、ズーミングのときの各レンズの移動動作について、図６（ａ）、図６（ｂ）に基づいて説明する。ここでは、レンズ鏡筒１００が広角端にある状態（図６（ａ））から、望遠端にズームされるまで（図６（ｂ））の動作について説明する。
【００４８】
図６（ａ）の状態から、ユーザによりズーム操作環１８（図２等参照）が回転されると、前述したように回転連結部材２１等を介してカムリング２０が回転される。この回転に伴い、連動リング３２にもカムフォロワ３２ｂを介して、回転力と前方向の移動力とが作用するが、連動リング３２は、連動溝３２ａと係合する連動キー３４（固定状態）により、前後方向にのみガイドされているので、回転することなく前側に直進する。また、この連動リング３２の直進に伴って、連動リング３２に係合する係合筒２８（すなわち２群レンズ摺動筒１２）、及び２群レンズＬ２が前方向に移動する。
【００４９】
更に、カムリング２０の回転は、カムフォロワ３５，４５を介して係合している３，５群レンズ摺動筒１３及び４群レンズ摺動筒１４（３〜５群レンズＬ３〜Ｌ５）も前方向に移動させる。なお、レンズＬ３，Ｌ５とレンズＬ４の移動距離は、カムフォロワ３５及びカムフォロワ４５が係合するカム溝２０ｃ，２０ｄの形成方向（角度）によって異なる。なお、カムリング２０自体も前方向に移動するため、各レンズＬ３〜Ｌ５の実際の移動距離は、カムリング２０の移動距離と、カム溝２０ｃ，２０ｄによるカムフォロワ３５，４５の移動距離との合計距離となる。
【００５０】
このように、ズーミングのときには、ズーム操作環１８の回転動作に伴って、２〜５群レンズＬ２〜Ｌ５（及び説明、図示を省略している１群レンズＬ１）のそれぞれが前方向に、別々の距離（ただし、レンズＬ３とＬ５は同一距離）だけ移動するようになっている。
【００５１】
次に、フォーカシングのときの各レンズの移動動作について、図７（ａ）、図７（ｂ）に基づいて説明する。ここでは、図７（ａ）の状態からフォーカシングを行い、ピントが合ったときに、図７（ｂ）の状態になるものとする。
【００５２】
まず、ピントリング３７がユーザにより回転されるか、あるいはモータ３８が回転駆動されることにより、連動キー３４が光軸ＡＸを中心とする回転方向に移動すると、前述したように、連動キー３４に係合する連動リング３２が光軸ＡＸ回りに回転する。この回転により、連動リング３２は、カムフォロワ３２ｂをカムリング２０のカム溝２０ｂに沿わせて、前方向にも移動する。そして、この連動リング３２の回転方向及び前方向の移動により、連動リング３２の周溝３２ｃに係合したフォロワ２８ａを有する係合筒２８（すなわち２群レンズ摺動筒１２）及び２群レンズＬ２も前方向に移動することになる。ここで、カムフォロワ３２ｂ及びフォロワ２８ａは、ガイドバー３０Ａの近傍に配置されているので、連動リング３２及び係合筒２８に対して光軸ＡＸ方向の駆動力を効率的に作用させることができる。
【００５３】
一方、カムリング２０は、無回転の固定状態にあるため、３群〜５群レンズＬ３〜Ｌ５は前（後）方向に移動しない。また、説明及び図示を省略している１群レンズＬ１も前（後）方向に移動することはない。
【００５４】
このように、フォーカシングのときには、連動キー３４の回転動作に伴って、２群レンズＬ２のみが前（後）方向に移動するようになっている。
【００５５】
なお、フォーカシング時のモータ３８の回転は、図１の主制御部２５０が、焦点検出装置２３０の検出結果に基づいて制御する。すなわち、主制御部２５０によるモータ３８の回転制御により、オートフォーカスが実行される。なお、レンズ鏡筒１００と、撮像部２００との間は、レンズ鏡筒１００と撮像部２００との間に設けられる接続端子により電気的に接続されており、これにより、レンズ鏡筒１００（例えばモータ３８など）に、撮像部２００側から電力が供給されるようになっている。
【００５６】
以上説明したように、本実施形態によると、固定筒１０に対して光軸ＡＸ方向にスライド可能なガイドバー３０Ａ、３０Ｂに、２群レンズＬ２を保持する２群レンズ摺動筒１２が固定され、３群レンズＬ３及び５群レンズＬ５を保持する３，５群レンズ摺動筒１３、及び４群レンズＬ４を保持する４群レンズ摺動筒１４が、ガイドバー３０Ａ，３０Ｂに沿って光軸ＡＸ方向にスライド可能に保持されているので、レンズ摺動筒毎にガイドバーを設ける必要が無く、レンズ鏡筒１００内の構造の簡素化を図ることが可能である。また、２群レンズ摺動筒１２には、連動リング３２から光軸ＡＸ方向の駆動力が伝達され、連動リング３２と３，５群レンズ摺動筒１３及び４群レンズ摺動筒１４には、カムリング２０から光軸ＡＸ方向の駆動力が付与されるようになっているので、カムリング２０に回転力等を付与することで、連動リング３２（及びこれに係合する２群レンズ摺動筒１２）、３，５群レンズ摺動筒１３、及び４群レンズ摺動筒１４を同時に光軸ＡＸ方向に駆動することができ、また、連動リング３２に回転力等を付与することで、２群レンズ摺動筒１２のみを光軸ＡＸ方向に駆動することができる。これにより、簡易な構成で、状況（ズーミング時やフォーカシング時など）に応じた、複数のレンズの異なる動作を実現することができる。
【００５７】
また、本実施形態では、カムフォロワ３２ｂ、フォロワ２８ａ及びカムフォロワ３５，４５が、ガイドバー３０Ａの近傍に設けられているので、連動リング３２、２群レンズ摺動筒１２、３，５群レンズ摺動筒１３、４群レンズ摺動筒１４の移動（駆動）を効率良く行うことができる。
【００５８】
また、本実施形態では、ガイドバー３０Ａは、固定筒１０に光軸ＡＸ方向に離間して設けられた一対の突起部４７ａ1，４７ａ2により、スライド可能に支持され、３、５群レンズ摺動筒１３や４群レンズ摺動筒１４が、一対の突起部４７ａ1，４７ａ2の間に設けられている。ここで、図８に示すように、ガイドバー３０Ａと、突起部４７ａ1の貫通孔３６ａ1及び突起部４７ａ2の貫通孔３６ａ2の間に隙間が存在する場合には、ガイドバー３０Ａが、図８に示す点７７ａ，７７ｂ部分のみに接触した状態で、突起部４７ａ1、４７ａ2に保持される。このような場合でも、突起部４７ａ1，４７ａ2間の距離を大きくとることで、ガイドバー３０Ａの光軸ＡＸ方向からのチルト量（チルト角度α）を低減することができる。このように、本実施形態では、２群レンズＬ２のチルト量を低減することができるので、レンズ鏡筒１００’の光学性能を良好にすることが可能である。
【００５９】
なお、上記実施形態では、連動リング３２をリング状とした場合について説明したが、これに限らず、連動リング３２の機能を発揮することができる部分（円環の一部）のみ残して、その他の部分を省略しても良い。
【００６０】
なお、上記実施形態では、カムフォロワ３２ｂ、フォロワ２８ａ及びカムフォロワ３５，４５が、ガイドバー３０Ａ近傍に配置されている場合について説明したが、これに限らず、これらのうちの少なくとも１つが、ガイドバー３０Ａ近傍に配置されているのみでも良い。
【００６１】
なお、レンズ鏡筒としては、図９、図１０に示すような構造（レンズ鏡筒１００’）を採用することもできる。図９には、レンズ鏡筒１００'が広角端にある状態を断面図にて示し、図１０は、レンズ鏡筒１００’が、望遠端までズームされた状態を断面図にて示す。これら図９、図１０に示すように、レンズ鏡筒１００'では、２群レンズ摺動筒１２を構成する係合筒２８がカムフォロワ２８ａ’を有し、当該カムフォロワ２８ａ’がカムリング２０のカム溝２０ｂに直接係合した構成を有している。
【００６２】
このような構成を採用することとしても、ズーミングの際に、ユーザがズーム操作環１８を回転すると、上記実施形態と同様、当該回転によってカムリング２０が光軸ＡＸ回りに回転するので、この回転に連動した２群レンズ摺動筒１２（２群レンズＬ２）、並びに３，５群レンズ摺動筒１３及び４群レンズ摺動筒１４（３〜５群レンズＬ３〜Ｌ５）の前後方向への移動を実現することができる。なお、本変形例は、２群レンズがズーミング専用である場合を想定したものである。したがって、フォーカシングについては、２群レンズとは別のレンズにより実行される。
【００６３】
なお、上記実施形態（図１〜図８）では、ズーミングの際に、１〜５群レンズＬ１〜Ｌ５のすべてが光軸ＡＸ方向に移動し、フォーカシングの際には、２群レンズＬ２のみが光軸ＡＸ方向に移動する場合（内焦式）について説明したが、これに限られるものではない。例えば、フォーカシングの際に、２群レンズＬ２以外のレンズＬ１、Ｌ３〜Ｌ５のいずれかが光軸ＡＸ方向に移動するようにしても良い。このうち、フォーカシングを１群レンズＬ１の移動により実行する方式は、前玉繰り出し方式と呼ばれる。また、フォーカシングの際に、１〜５群レンズＬ１〜Ｌ５のすべてのレンズ又はこれらのうちの複数のレンズが移動するようにしても良い。このうち、すべてのレンズが移動する方式は、全体繰り出し方式と呼ばれる。
【００６４】
なお、上記実施形態では、貫通孔３６ｂ1，３６ｂ2を上下方向に長い長円孔とすることで、ガイドバー３０Ａ，３０Ｂ間の間隔の誤差（ガタ）に対応する場合について説明したが、これに限られるものではない。例えば、貫通孔３６ｂ1，３６ｂ2の内径を、貫通孔３６ａ1，３６ａ2よりもやや大きく設定することとしても良い。また、これに代えて又はこれとともに、ガイドバー３０Ｂの外径をガイドバー３０Ａの外径よりも小さくすることで、ガイドバー３０Ａ，３０Ｂ間の間隔の誤差（ガタ）に対応することとしても良い。また、上下方向に長い長円形状を有する貫通孔３６ｂ1、３６ｂ2に代えて、Ｕ字溝を設けることとしても良い。
【００６５】
また、上記実施形態では、３群レンズＬ３と５群レンズＬ５が、共通のレンズ摺動筒１３により保持される場合について説明したが、これに限らず、３群レンズＬ３と５群レンズＬ５は、別々のレンズ摺動筒により保持されても良い。
【００６６】
また、上記実施形態のレンズの数やレンズ配置は一例である。すなわち、レンズ鏡筒としては、ガイドバーに固定された一のレンズ摺動筒に保持されるレンズと、ガイドバーに沿ってスライドする他のレンズ摺動筒に保持されるレンズとを、少なくとも有していれば良い。
【００６７】
なお、上記実施形態では、カムフォロワやフォロワなどの凸状の部材（部分）が設けられた部材に、当該凸状の部材（部分）に代えて、カム溝、周溝などの凹状の部分を設けることとし、カム溝、周溝などの凹状の部分が設けられた部材に、凹状の部分に代えて、カムフォロワやフォロワなどの凸状の部材（部分）を設けることとしても良い。
【００６８】
上述した実施形態は本発明の好適な実施の例である。但し、これに限定されるものではなく、本発明の要旨を逸脱しない範囲内において種々変形実施可能である。
【符号の説明】
【００６９】
１０  固定筒
１２  ２群レンズ摺動筒
１３  ３，５群レンズ摺動筒
１４  ４群レンズ摺動筒
２０  カムリング
２０ｂ〜２０ｅ  カム溝
２８ａ  フォロワ
３０Ａ，３０Ｂ  ガイドバー
３２  連動リング
３２ｂ  カムフォロワ
３２ｃ  周溝
３５  カムフォロワ
４５  カムフォロワ
Ｌ２  ２群レンズ
Ｌ３  ３群レンズ
Ｌ４  ４群レンズ
Ｌ５  ５群レンズ
１００  レンズ鏡筒
２００  撮像部
５００  カメラ
【図１】
2010197897.tif 000003
【図２】
2010197897.tif 000004
【図３】
2010197897.tif 000005
【図４】
2010197897.tif 000006
【図５】
2010197897.tif 000007
【図６】
2010197897.tif 000008
【図７】
2010197897.tif 000009
【図８】
2010197897.tif 000010
【図９】
2010197897.tif 000011
【図１０】
2010197897.tif 000012